(57)【特許請求の範囲】
【請求項１】
位置決め基準を備える台紙データを作成し、
印刷する４色データを複製して各々が同一の第１乃至第４色版データを有する第１乃至第４色版用データを作成し、
該作成された第２色版用データの第２色版データを第１色版データに、第３色版用データの第３色版データを第１色版データに、第４色版用データの第４色版データを第１色版データにそれぞれ入れ替え、
前記第１色版用データの第１色版データと、前記第１色版データに入れ替えた前記第２乃至第４色版用データの第２乃至第４色版データからなる４つの色版データを前記台紙データの各色版の位置角度に回転して配置し、
該回転して配置した４つの色版データのうち、前記第１色版データと第２乃至第４色版データの何れか１つの色版データとに対する角度が同一となるように、単一の角度をもった網点スクリーンを発生し、
該発生した網点スクリーンと前記台紙データ上に配置された４つの色版データとをフィルム出力することによって印刷原版を作製する
ことを特徴とする印刷原版の作製方法。
【請求項２】
位置決め基準を備える台紙データを作成し、
印刷する４色データを複製して各々が同一の第１乃至第４色版データを有する第１乃至第４色版用データを作成し、
該作成された第２色版用データの第２色版データを第１色版データに、第３色版用データの第３色版データを第１色版データに、第４色版用データの第４色版データを第１色版データにそれぞれ入れ替え、
前記第１色版用データの第１色版データと、前記第１色版データに入れ替えた前記第２乃至第４色版用データの第２乃至第４色版データからなる４つの色版データを前記台紙データの各色版の位置角度に回転して配置し、
前記第１色版データと前記第２乃至第４色版データとに対して互いに異なる角度をもった別々の網点スクリーンを発生し、
該別々に発生した網点スクリーンと前記台紙データ上に配置された４つの色版データとをフィルム出力することによって印刷原版を作製する
ことを特徴とする印刷原版の作製方法。
【発明の詳細な説明】
【０００１】
【発明の属する技術分野】
本発明は、光ディスクのレーベル印刷における印刷原版の作製方法に関する。
【０００２】
【従来の技術】
光ディスクの印刷装置として、特開平１１−２４５３７８号に示されるオフセット印刷機が知られている。このオフセット印刷機では、図１０に示すように、画像部６８Ａ〜６８Ｄは印刷ステージ上にある光ディスク２４と同一回転半径Ｒの回転半径上に中心位置が配置され、かつ印刷中心線（Ｖ１〜Ｖ４）も互いに３０°ずつずれている。このため、印刷ステージＵ１〜Ｕ４は印刷中心線Ｖ１〜Ｖ４と各々平行とされており、ターンテーブル１４上の光ディスク２４が印刷ステージＵ１〜Ｕ４の間で３０°の１ピッチＰ１で回転されるが印刷中心線Ｖ１〜Ｖ４も３０°ずつずれている。従って、印刷がズレることなく、一つのゴム胴７２だけで円弧状に配置された複数の画像部６８から凹部２２に載せられた複数の光ディスク２４へ一度にインキを転移させることができ、また、迅速に狭い場所でも光ディスク２４に印刷することができる。なお、図１０中、符号１２はフレーム、符号６４はスクリーン印刷機、符号６６は紫外線乾燥機、符号７８は印刷版、符号８２は紫外線照射装置、符号Ｄは回転方向、符号Ｔは予備印刷位置である。
【０００３】
このようなオフセット印刷機を使用して、ＣＤ等の光ディスクにカラーオフセット印刷を行う場合、図１１（Ａ）に示すように、印刷原版は各色版（シアン・マゼンタ・イエロー・ブラック）の４枚の原版フィルム１００を作製し、図１１（Ｂ）に示すように、各色版の位置・角度を調整し、印刷刷版１０１に焼き付け、試し刷りを行いながら手作業で調整して印刷していた。
【０００４】
【発明が解決しようとする課題】
しかしながら、上記従来の方法では、原版フィルムの位置合わせが、目視で手作業のため煩雑であり、調整と試し刷りを複数回繰り返し、時間及び光ディスクの無駄が多かった。
【０００５】
そこで、本発明は、印刷時の見当精度が容易且つ極めて高い印刷原版の作製方法を提供することをその目的とする。
【０００６】
【課題を解決するための手段】
このような印刷原版を作製するために、従来通り、各色版シアン・マゼンタ・イエロー・ブラックの４枚のフィルムを作成し、そのフィルムをスキャナで、コピードットスキャンして網点スクリーンそのままの状態でデータ化する。その４つのデータを所定の位置、角度にレイアウトしたデータを作成しフィルム出力する。
【０００７】
この方法は、特開平１１−２４５３７８号の印刷装置に限らず対応できる方法であるが、フィルム出力が２回になり、フィルムをスキャンするという工程が増えてしまうことと、フィルムスキャン時にゴミが入ってしまう可能性がある等の問題が残される。
【０００９】
そこで、上記目的を達成するために本発明の印刷原版の作製方法は、位置決め基準を備える台紙データを作成し、印刷する４色データを複製して各々が同一の第１乃至第４色版データを有する第１乃至第４色版用データを作成し、該作成された第２色版用データの第２色版データを第１色版データに、第３色版用データの第３色版データを第１色版データに、第４色版用データの第４色版データを第１色版データにそれぞれ入れ替え、前記第１色版用データの第１色版データと、前記第１色版データに入れ替えた前記第２乃至第４色版用データの第２乃至第４色版データからなる４つの色版データを前記台紙データの各色版の位置角度に回転して配置し、該回転して配置した４つの色版データのうち、前記第１色版データと第２乃至第４色版データの何れか１つの色版データとに対する角度が同一となるように、単一の角度をもった網点スクリーンを発生し、該発生した網点スクリーンと前記台紙データ上に配置された４つの色版データとをフィルム出力することによって印刷原版を作製することを特徴としている。
【００１０】
また、上記目的を達成するために本発明の印刷原版の作製方法は、位置決め基準を備える台紙データを作成し、印刷する４色データを複製して各々が同一の第１乃至第４色版データを有する第１乃至第４色版用データを作成し、該作成された第２色版用データの第２色版データを第１色版データに、第３色版用データの第３色版データを第１色版データに、第４色版用データの第４色版データを第１色版データにそれぞれ入れ替え、前記第１色版用データの第１色版データと、前記第１色版データに入れ替えた前記第２乃至第４色版用データの第２乃至第４色版データからなる４つの色版データを前記台紙データの各色版の位置角度に回転して配置し、前記第１色版データと前記第２乃至第４色版データとに対して互いに異なる角度をもった別々の網点スクリーンを発生し、該別々に発生した網点スクリーンと前記台紙データ上に配置された４つの色版データとをフィルム出力することによって印刷原版を作製することを特徴としている。
【００１２】
【発明の実施の形態】
以下、本発明の実施の形態を図面を参照して説明する。
図１は本発明の一実施形態に係る印刷原版を示す図である。
図１に示すように、この印刷原版は、印刷装置の位置角度に合わせた１枚のフィルム原版１であり、印刷装置であるオフセット印刷機の回転中心と同心の円弧上に、中心角がオフセット印刷機の１ステップの回転角に対応する角度、例えば３０°で傾いた各色用のセンタートンボ（ブラック用センタートンボＢＳ、シアン用センタートンボＣＳ、マゼンタ用センタートンボＭＳ、イエロー用センタートンボＹＳ）と、各センタートンボ位置に前記中心角と同一角度分、台紙データの位置決め基準２ｂから傾斜した網点スクリーン角度を有する各色版データとを、１つの印刷原版中に備えている。
【００１３】
即ち、台紙データの位置決め基準２ａに対して、ブラック用センタートンボＢＳが４５°傾き、シアン用センタートンボＣＳが１５°傾き、マゼンタ用センタートンボＭＳが−１５°傾き、イエロー用センタートンボＹＳが−４５°傾いている。
【００１４】
そして、ブラック色版データの網点スクリーン角度がブラック用センタートンボＢＳに対して１６５°傾き、シアン色版データの網点スクリーン角度がシアン用センタートンボＣＳに対して１５°傾き、マゼンタ色版データの網点スクリーン角度がマゼンタ用センタートンボＭＳに対して４５°傾き、イエロー色版データの網点スクリーン角度がイエロー用センタートンボＹＳに対して７５°傾いている。
【００１５】
この印刷原版の作製にはグラフィックレイアウトと製版処理のアプリケーションソフト「レナトスデジタルエディター」（大日本スクリーン製造株式会社製）を用い、ラスターイメージ（ビットマップ）に展開するためのハードウエアまたはソフトウエアであるＲＩＰ（RASTER IMAGE PROCESSOR）は「T-RIP 」（大日本スクリーン製造株式会社製）を用いて以下の方法により作製した。
【００１６】
図２は本発明の参考例に係る印刷原版の作製方法の回転データを作成するまでを示す図である。
図２に示すように、実際は一つの４色データ３であるが、コンピュータ上で同じ４色データ３を四つに複製して４つの４色データを作成し、それぞれ台紙データの位置決め基準２から＋４５°、＋１５°、−１５°、−４５°ずつセンタートンボのデータを回転する。即ち、センタートンボが４５°傾いた４色データ３ａと、センタートンボが１５°傾いた４色データ３ｂと、センタートンボが−１５°傾いた４色データ３ｃと、センタートンボが−４５°傾いた４色データ３ｄとを作成する。なお、ここで、角度の符号は、時計回りを−、反時計回りを＋とした。
【００１７】
図３は本発明の参考例に係る印刷原版の作製方法のフィルム露光を示す図である。
図３に示すように、センタートンボが−４５°回転した４色データは、イエロー版データのみを網点スクリーン角度４５°でフィルム露光すると、台紙データのトンボ基準線に対して網点スクリーン角度は９０°になる。
【００１８】
また、−１５°回転した４色データは、マゼンタ版データのみを網点スクリーン角度３０°でフィルム露光すると、台紙データのトンボ基準線に対して網点スクリーン角度は４５°になる。
【００１９】
また、１５°回転した４色データは、シアン版データのみを網点スクリーン角度３０°でフィルム露光すると、台紙データのトンボ基準線に対して網点スクリーン角度は１５°になる。
【００２０】
また、４５°回転した４色データは、ブラック版データのみを網点スクリーン角度３０°でフィルム露光すると、台紙データのトンボ基準線に対して網点スクリーン角度は７５°になる。
【００２１】
それぞれフィルム露光するとき、フィルム出力機のフィルム余白の設定をそれぞれの位置に合わせた寸法に変更し、露光スタート位置を決めて、１枚のフィルムに４回露光すれば出来上がる。
【００２２】
しかし、この方法は、フィルム出力機の性能上、フィルムへの露光スタート原点の設定を変更する長さに限りがあることと、０．１ｍｍ単位までしか調整できないことで、厳密な位置合わせが不可能であることが分かった。
【００２３】
そこで、上記方法での失敗から、データの作成方法を工夫した。
即ち、４色分のデータを１枚のフィルムにしなければならないので、先ず４色分のうち１色分のみのデータをフィルム出力することを考えた。この方法を次に説明する。
【００２４】
図４は本発明の一実施形態に係る印刷原版の作製方法で用いる台紙データを示す図、図５は本発明の一実施形態に係る印刷原版の作製方法で用いる４色データを示す図、図６は本発明の一実施形態に係る印刷原版の作製方法で用いる４色データを台紙データに配置した状態を示す図、図７は図６の台紙データに配置された４色データのうち、フィルム出力したイエロー版データを示す図、図８（Ａ）は印刷原版のレイアウト台紙の基準線からの各色版の回転角を示す図、図８（Ｂ）は図８（Ａ）の台紙全体に網点スクリーンを発生させた状態を示す図である。
【００２５】
図４に示すように、先ず、位置決めをする中心点としてのセンタートンボが入っている台紙データを作成する。
次に、図５に示すように、印刷する４色データを４つ複製する。
一例として、イエロー版のみのデータをフィルム出力する場合を考える。
図５（Ａ）に示すように、ブラック版用として、ブラック版データをイエロー版データに入れ替える。
【００２６】
また、図５（Ｂ）に示すように、１つは、シアン版用として、シアン版データをイエロー版データに入れ替える。
また、図５（Ｃ）に示すように、１つは、マゼンタ版用として、マゼンタ版データをイエロー版データに入れ替える。
また、図５（Ｄ）に示すように、１つは、イエロー版用として、そのままのデータを使用する。
【００２７】
次に、図６に示すように、上記４つのデータを台紙データのそれぞれの色版の位置角度に配置する。レイアウトされたデータは、各版の入れ替えをしていないデータ以外は、各版入れ替えのためディスプレイモニター上では変色して見えているが、図７に示すように、イエロー版データだけを表示してみると、それぞれブラック・シアン・マゼンタ・イエローのデータが所定の位置にレイアウトされているのが分かる。
【００２８】
このレイアウトされた４色データのイエローデータのみをフィルム出力すると、図１のような印刷原版フィルムが出来上がることになるが、フィルム出力時の網点スクリーン角度の発生方法を考える。
上述した特開平１１−２４５３７８号の印刷装置は、１ステップ３０°の角度で回転し印刷を行うので、各色版は３０°の相対角度をもって設置されている。
【００２９】
図８（Ａ）に示すように、この印刷刷版のレイアウト台紙では、各色版は台紙の基準線２ａからそれぞれ、
ブラック版＝４５°
シアン版＝１５°
マゼンタ版＝−１５°
イエロー版＝−４５°
の角度で回転されている。
【００３０】
これにより、図８（Ｂ）に示すように、この台紙全体にたとえば３０°の角度で網点スクリーンを発生させると、各色版の網点スクリーンは各色版の基準線としてのセンタートンボに対してそれぞれ、
ブラック版＝１６５°（７５°と同角）
シアン版＝１５°
マゼンタ版＝４５°
イエロー版＝７５°
の角度で発生させることができる。ブラック版が１６５°であり、７５°とは９０°違いであるが、網点スクリーン角度としては７５°と同角度となる。この方法で網点スクリーンを発生させてフィルム出力すると図１のイエロー版の網点スクリーン角度が７５°の印刷原版フィルムが出来上がる。
【００３１】
この方法で印刷原版を作成し、特開平１１−２４５３７８号の印刷装置で印刷テストしたところ、印刷見当精度、網点スクリーンの刷り合わせ品質とも良好な結果が得られた。
【００３２】
図９（Ａ）は本発明の他の実施形態に係る印刷原版のレイアウト台紙の基準線からの各色版の回転角を示す図、図９（Ｂ）は図９（Ａ）の台紙全体に網点スクリーンを発生させた状態を示す図である。
【００３３】
この他の実施形態に係る印刷原版フィルムの作製方法、即ち、例えば図１のイエロー版の網点スクリーン角度が９０°の印刷原版フィルムの作製方法は、先ず、図６の４つのデータをレイアウトする工程まで上述した実施形態と同様に行う。
【００３４】
次に、図９（Ａ）に示すように、レイアウトされた４つのデータの一番右側のデータ、即ち色版を入れ替えしていないデータ一つだけに対して、イエロー版の網点スクリーン角度をマゼンタ版の網点スクリーン角度（４５°）に入れ替える。
【００３５】
次に、図９（Ｂ）に示すように、この４色版データのイエロー版データを網点スクリーン角度３０°でフィルム出力すると、各色版の網点スクリーン角度は、各色版のトンボ基準線に対して、
ブラック版＝１６５°（７５°と同角）
シアン版＝１５°
マゼンタ版＝４５°
イエロー版＝９０°
となり、図１のイエロー版の網点スクリーン角度が９０°の印刷原版フィルムが出来上がる。
【００３６】
この方法で印刷原版を作成し、特開平１１−２４５３７８号の印刷装置で印刷テストしたところ、印刷見当精度、網点スクリーンの刷り合わせ品質とも良好な結果が得られた。
【００３７】
上述した従来の方法では、各色版をそれぞれの網角度を維持した状態で、一枚のフィルム上に同時に出力することは困難と思われていた。
本発明では、ベースデータになる版は網角度３０度（Ｙ版＝グラビア用）を使用する。ベースデータ上に各版（ＢＫ・Ｃ・Ｍ版）を３０度ずつ振って（回転して）レイアウトすると、各色版毎に必要な角度（ＢＫ＝７５°、Ｃ＝１５°、Ｍ＝４５°）がそれぞれ得られる。ただし、角度が振れる範囲は９０度の範囲内であり、４色（Ｃ・Ｍ・Ｙ・ＢＫ）にそれぞれ３０°を割り当てることは不可能である。
【００３８】
そこで、比較的に干渉縞（モアレ）が目立たない透明色（薄い色）であるＹ版をＢＫ版の角度と同一角度とした。
コンピュータ上で各色版データをレイアウトするので、従来の手作業で行う方法より印刷時における見当精度が格段に向上した。
【００３９】
上記印刷原版の作製方法の他の作製方法として、図１２に示した印刷原版の作製方法を説明する。
図１２（Ａ）は、図２の４色データ３と同一の４色データ３を示しており、この４色データの情報をラスターイメージ（ビットマップ）に展開するためのハードウエアまたはソフトウエアであるＲＩＰ（RASTER IMAGE PROCESSOR）のラスターイメージ処理で、各色版に対応する角度で網点スクリーンを発生させ、４色に分版され、モノクロ２階調化されたＴＩＦＦファイル形式またはＤＣＳ２（DESKTOP COLOR SEPARATIONS ）ファイル形式のデータを作成する。ＤＣＳ２データは、プレビュー・シアン・マゼンタ・イエロー・ブラック、５つのファイルができており、図１２（Ｂ）はこのシアン・マゼンタ・イエロー・ブラック、ファイルを示している。
【００４０】
通常、ＤＣＳ２データは５つのファイルをひとまとめで扱い、そのままの状態でプリンタ、フィルム、印刷刷版プレートなどに出力されるファイルデータであるが、グラフィックレイアウトのアプリケーションソフトで、プレビューファイル以外のシアン・マゼンタ・イエロー・ブラックの４つのファイルはひとつずつ開くことができる。
【００４１】
図１２（Ｃ）は、位置決め基準を備える台紙データに、図１２（Ｂ）のシアン・マゼンタ・イエロー・ブラックの４つのファイルデータをそれぞれの位置角度に配置させたデータを示している。このデータをフィルム出力すると図１のイエロー版の網点スクリーン角度が９０°の印刷原版フィルムが出来上がる。
【００４２】
図１２（Ａ）の４色ポストスクリプトデータから、図１２（Ｂ）のＤＣＳ２ラスターイメージデータを作成する際、網点スクリーンを発生させ、モノクロ２階調化するときの解像度、及び図１２（Ｃ）の配置データをフィルム出力時の解像はフィルム出力時の干渉縞（モアレ）を防ぐため、４０００ｄｐｉの解像度が良い。
【００４３】
上記方法で印刷原版フィルムを作製すると、各色版のセンタートンボに対する網点スクリーン角度は
ブラック版＝７５°
シアン版＝１５°
マゼンタ版＝４５°
イエロー版＝９０°
となるが、ＤＣＳ２ラスターイメージデータを作成する際、例えば図１３のように各色版のセンタートンボに対する網点スクリーン角度を
ブラック版＝８２°
シアン版＝２２°
マゼンタ版＝５２°
イエロー版＝９７°
となる網点スクリーンを発生させＤＣＳ２ラスターイメージデータを作成すれば、図１の印刷原版の各色版のうち、イエロー版を除く色版のセンタートンボに対する網点スクリーン角度が互いに３０°ずれて配置され、イエロー用センタートンボに対する網点スクリーン角度がイエローを除く各色版のセンタートンボに対する網点スクリーン角度に対して１５°の整数倍ずれているという範囲内で可能な網点スクリーン角度を持った印刷原版を作製することができる。
【００４４】
この印刷原版の作製に、ＲＩＰは「TRUE FLOW」（大日本スクリーン製造株式会社）を使用、グラフィックレイアウトのアプリケーションソフトは「Adobe Illustrator ９．０ＭＡＣ版」（登録商標、アドビシステムズ株式会社製）を使用した。
【００４５】
本発明によれば、従来の方法では必要だった刷版時での台紙フィルムへの貼り込み（見当合わせ）が必要なくなった。
また、本発明によれば、刷り出し時の見当調整のやり直し（刷版）回数が大幅に減少し、刷り出し時間が大幅に短縮された。
また、本発明によれば、刷版（ＰＳ版）の損品率が大幅に減少し、資材の節約になった。
【００４６】
また、本発明によれば、ＣＤ（製品）の損品が大幅に削減された。
また、本発明によれば、原版であるフィルムが一枚物であるため、従来に比べ保存管理時のゴミ等の侵入が防げ、保存性がよくなった。
また、本発明によれば、最終出力データのデータベース化（ＤＢ保存管理）が可能になった。
また、本発明によれば、最終出力データのデジタル配信が可能になった。
【００４７】
なお、本発明は上記実施例に限定されるものではない。例えば、上記実施形態ではオフセット印刷機の１ステップの回転角が３０°の場合について説明したが、３０°以外の場合にも本発明を適用できる。即ち、本発明の骨子を逸脱しない範囲で種々変形して実施することができる。
【００４８】
【発明の効果】
以上説明したように、発明によれば、印刷時の見当精度が容易且つ極めて高い印刷原版の作製方法を提供することができるという効果を有する。
【図面の簡単な説明】
【図１】本発明の一実施形態に係る印刷原版を示す図である。
【図２】本発明の参考例に係る印刷原版の作製方法の回転データを作成するまでを示す図である。
【図３】本発明の参考例に係る印刷原版の作製方法のフィルム露光を示す図である。
【図４】本発明の一実施形態に係る印刷原版の作製方法で用いる台紙データを示す図である。
【図５】本発明の一実施形態に係る印刷原版の作製方法で用いる４色データを示す図である。
【図６】本発明の一実施形態に係る印刷原版の作製方法で用いる４色データを台紙データに配置した状態を示す図である。
【図７】図６の台紙データに配置された４色データのうち、フィルム出力したイエロー版データを示す図である。
【図８】（Ａ）は印刷原版のレイアウト台紙の基準線からの各色版の回転角を示す図、（Ｂ）は（Ａ）の台紙全体に網点スクリーンを発生させた状態を示す図である。
【図９】（Ａ）は本発明の他の実施形態に係る印刷原版のレイアウト台紙の基準線からの各色版の回転角を示す図、（Ｂ）は（Ａ）の台紙全体に網点スクリーンを発生させた状態を示す図である。
【図１０】オフセット印刷機の要部を示す図である。
【図１１】（Ａ）は従来の印刷原版を示す図、（Ｂ）は従来の印刷原版を印刷刷版に貼り付ける方法を示す図である。
【図１２】（Ａ）は４色データ、（Ｂ）は（Ａ）の４色データをＲＩＰのラスターイメージ処理で網点スクリーンを発生させ、モノクロ２階調化され分版されたＤＣＳファイル形式のデータ、（Ｃ）は（Ｂ）のＤＣＳファイル形式のデータを台紙データに配置した状態を示す図である。
【図１３】（Ａ）は４色データ、（Ｂ）は（Ａ）の４色データをＲＩＰのラスターイメージ処理で図１２（Ｂ）とは異なった角度で網点スクリーンを発生させ、モノクロ２階調化され分版されたＤＣＳファイル形式のデータ、（Ｃ）は（Ｂ）のＤＣＳファイル形式のデータを台紙データに配置した状態を示す図である。
【符号の説明】
１  フィルム原版
２ａ  位置決め基準
２ｂ  位置決め基準
３  ４色データ
３ａ  センタートンボが４５°傾いた４色データ
３ｂ  センタートンボが１５°傾いた４色データ
３ｃ  センタートンボが−１５°傾いた４色データ
３ｄ  センタートンボが−４５°傾いた４色データ
ＢＳ  ブラック用センタートンボ
ＣＳ  シアン用センタートンボ
ＭＳ  マゼンタ用センタートンボ
ＹＳ  イエロー用センタートンボ
【図１】
0003735317.tif 000002
【図２】
0003735317.tif 000003
【図３】
0003735317.tif 000004
【図４】
0003735317.tif 000005
【図５】
0003735317.tif 000006
【図６】
0003735317.tif 000007
【図７】
0003735317.tif 000008
【図８】
0003735317.tif 000009
【図９】
0003735317.tif 000010
【図１０】
0003735317.tif 000011
【図１１】
0003735317.tif 000012
【図１２】
0003735317.tif 000013
【図１３】
0003735317.tif 000014